(57)【要約】  【課題】  閃光放電管２の発光に関与する構成要素の交差を考慮せずに、発光光量を制御することができるストロボ装置１を提供することを課題とする。  【解決手段】  閃光放電管２と、閃光放電管２の発光を制御するＩＧＢＴ４と、ＩＧＢＴ４をオン・オフ動作させて閃光放電管２の発光を制御する発光制御回路６とを備えるストロボ装置１において、発光制御回路６が発光光量のばらつきを閃光放電管２の発光開始からＩＧＢＴ４がオフするまでにかかる発光時間で、より具体的には、ＩＧＢＴ４のゲート電荷を放電させる放電電流を可変とする放電手段によりＩＧＢＴ４をオフするタイミングを補正可能な発光光量補正手段を備えることを特徴とする。【選択図】  図１
2010134005.tif 000002
【特許請求の範囲】
【請求項１】
閃光放電管と、閃光放電管の発光を制御するＩＧＢＴと、ＩＧＢＴをオン・オフ動作させて閃光放電管の発光を制御する発光制御回路とを備えるストロボ装置において、発光制御回路が閃光放電管の発光に関与する構成要素の公差に起因する発光光量のばらつきを閃光放電管の発光開始からＩＧＢＴがオフするまでにかかる発光時間で補正可能な発光光量補正手段を備えることを特徴とするストロボ装置。
【請求項２】
発光光量補正手段は、ゲート電荷を放電させる放電電流を可変とする放電手段により、閃光放電管の発光開始からＩＧＢＴをオフするまでにかかる発光時間を補正する請求項１に記載のストロボ装置。
【請求項３】
発光光量補正手段は、閃光放電管に対する発光停止の開始からゲート電荷の放電開始をアナログ遅延回路によって遅延させる遅延手段により、閃光放電管の発光開始からＩＧＢＴをオフするまでにかかる発光時間を補正する請求項１に記載のストロボ装置。
【請求項４】
発光光量補正手段は、閃光放電管に対する発光停止の開始からゲート電荷の放電開始をデジタル遅延回路によって遅延させる遅延手段により、閃光放電管の発光開始からＩＧＢＴをオフするまでにかかる発光時間を補正する請求項１に記載のストロボ装置。
【請求項５】
請求項１から４記載のストロボ装置を備えることを特徴とする撮影装置。
【発明の詳細な説明】
【技術分野】
【０００１】
本発明は、閃光放電管と、閃光放電管の発光を制御する絶縁ゲート型バイポーラトランジスタ（以下、単に「ＩＧＢＴ」という）と、ＩＧＢＴをオン・オフ動作させて閃光放電管の発光を制御する発光制御回路とを備えるストロボ装置に関し、特に、発光光量を補正可能なストロボ装置に関するものである。
【背景技術】
【０００２】
ストロボ発光を伴うストロボ撮影では、例えば、ストロボ発光（以下、単に「本発光」という）のストロボ光量を決定するため、本発光の前に（以下、単に「プリ発光」という）適当なストロボ光量で露光を行い、その結果から本発光のストロボ光量を決定し、本発光のストロボ光量となるように発光光量を制御して、撮影されている。
【０００３】
従来技術のストロボ装置（特許文献１参照）は、キセノン管などの閃光放電管と、閃光放電管を励起するためのトリガ回路と、閃光放電管の発光を制御するＩＧＢＴと、閃光放電管で放電させる電荷を蓄積する（充電する）メインコンデンサと、ＩＧＢＴをオン・オフ動作させて閃光放電管の発光を制御する発光制御回路とを備えている。よって、ストロボ装置は、例えば、閃光放電管と直列に接続されているＩＧＢＴをコレクタ−エミッタ間が導通状態にあるオン状態にすると、メインコンデンサに蓄積された電荷を閃光放電管で放電させて、閃光放電管の発光を開始させることができる。また、ＩＧＢＴをコレクタ−エミッタ間が遮断状態にあるオフ状態にすると、閃光放電管の発光を停止させることができる。
【０００４】
しかし、閃光放電管は、発光停止を開始してＩＧＢＴがオフ状態になっても、しばらくは閃光放電管内の封入ガスが発光を続ける。したがって、他の従来技術のストロボ装置（特許文献２参照）は、閃光放電管の発光停止から完全に発光が停止するまでのオーバーラン光量を予測して、オーバーラン光量を含めた発光光量で閃光放電管を発光停止させる制御を行っていた。
【特許文献１】特開２０００−３４７２５３号公報
【特許文献２】特開２００７−２３２８６４号公報
【発明の開示】
【発明が解決しようとする課題】
【０００５】
しかし、閃光放電管は製造時の精度などにより、アーク長や封入ガス圧などのばらつきがあり、同一の条件で制御して発光させた場合であっても、閃光放電管ごとに発光光量のばらつきが生じてしまう。したがって、ストロボ装置の発光制御時にオーバーラン光量を考慮しただけでは、予定していた発光光量に対し実際の発光光量に過不足が生じ、制御が不安定になってしまう。
【０００６】
よって、本発明は、上記の如き従来の問題点に鑑みてなされたもので、閃光放電管の発光に関与する構成要素の公差を考慮せずに、発光光量を制御することができるストロボ装置を提供することを課題とする。
【課題を解決するための手段】
【０００７】
本発明に係るストロボ装置は、上記課題を解決するためになされたもので、閃光放電管と、閃光放電管の発光を制御するＩＧＢＴと、ＩＧＢＴをオン・オフ動作させて閃光放電管の発光を制御する発光制御回路とを備えるストロボ装置において、発光制御回路が閃光放電管の発光に関与する構成要素の公差に起因する発光光量のばらつきを閃光放電管の発光開始からＩＧＢＴがオフするまでにかかる発光時間で補正可能な発光光量補正手段を備えることを特徴とする。
【０００８】
かかる構成からなるストロボ装置によれば、閃光放電管の発光開始からＩＧＢＴがオフするまでにかかる発光時間を適当な時間に補正することで、閃光放電管の発光に関与する構成要素の公差による発光光量のばらつきを製造されるそれぞれのストロボ装置で一律とすることができる。そして、この補正後の発光時間によりストロボ装置の発光光量を制御することで、閃光放電管の発光に関与する構成要素の公差による発光光量のばらつきを考慮する必要がなくなり、これらの複雑な制御のための部品が不要となり、ストロボ装置の小型化・軽量化を図ることができる。例えば、工場での組立工程において、閃光放電管の発光に関与する構成要素の公差による発光光量のばらつきを補正することで、出荷後の撮影では、この構成要素の公差以外から発光光量を決定することができる。
【０００９】
また、本発明に係るストロボ装置の発光光量補正手段は、ゲート電荷を放電させる放電電流を可変とする放電手段により、閃光放電管の発光開始からＩＧＢＴをオフするまでにかかる発光時間を補正する構成を採用することができる。
【００１０】
かかる構成からなるストロボ装置によれば、放電電流を変えることにより、ゲート電荷の放電時間が変わり、ＩＧＢＴがオフするタイミングを変えることができることから、閃光放電管の発光に関与する構成要素の公差による発光光量のばらつきによる発光光量の過不足を閃光放電管の発光開始からＩＧＢＴをオフするまでにかかる発光時間で補正することができる。
【００１１】
また、本発明に係るストロボ装装置の発光光量補正手段は、閃光放電管に対する発光停止の開始からゲート電荷の放電開始をアナログ遅延回路によって遅延させる遅延手段により、閃光放電管の発光開始からＩＧＢＴをオフするまでにかかる発光時間を補正する構成を採用することができる。
【００１２】
かかる構成からなるストロボ装置によれば、アナログ遅延回路の遅延時間を変えることにより、ゲート電荷の放電開始のタイミングが変わり、ＩＧＢＴがオフするタイミングを変えることができることから、閃光放電管の発光に関与する構成要素の公差による発光光量のばらつきによる発光光量の過不足を閃光放電管の発光開始からＩＧＢＴをオフするまでにかかる発光時間で補正することができる。
【００１３】
また、本発明に係るストロボ装置の発光光量補正手段は、閃光放電管に対する発光停止の開始からゲート電荷の放電開始をデジタル遅延回路によって遅延させる遅延手段により、閃光放電管の発光開始からＩＧＢＴをオフするまでにかかる発光時間を補正する構成を採用することができる。
【００１４】
かかる構成からなるストロボ装置によれば、デジタル遅延回路の遅延時間を変えることにより、ゲート電荷の放電開始のタイミングが変わり、ＩＧＢＴがオフするタイミングを変えることができることから、閃光放電管の発光に関与する構成要素の公差による発光光量のばらつきによる発光光量の過不足を閃光放電管の発光開始からＩＧＢＴをオフするまでにかかる発光時間で補正することができる。
【発明の効果】
【００１５】
以上の如く、本発明は、閃光放電管の発光に関与する構成要素の公差を考慮せずに、発光光量を制御することができる。
【発明を実施するための最良の形態】
【００１６】
以下、本発明に係るストロボ装置の実施形態について、図面を参酌しつつ説明する。
（第一実施形態）
まず、第一実施形態に係るストロボ装置の構造について、図１を参酌しつつ説明する。ストロボ装置１は、キセノン管などの閃光放電管２と、閃光放電管２を励起するためのトリガ回路３と、閃光放電管２の発光を制御するＩＧＢＴ４と、閃光放電管２で放電する電荷を蓄積する（充電する）メインコンデンサ５と、ＩＧＢＴ４をオン・オフ動作させて閃光放電管２の発光を制御する発光制御回路６と、電源Ｖｄｄから供給される電源電圧をＩＧＢＴ４の駆動電圧に合わせるために昇圧する昇圧回路７とを備えている。
【００１７】
発光制御回路６は、閃光放電管２を発光開始させるためにＩＧＢＴ４を充電してオン状態にさせるゲート充電手段８と、閃光放電管２を発光停止させるためにＩＧＢＴ４を放電してオフ状態にさせるゲート放電手段９とを備えている。
【００１８】
ゲート充電手段８は、入力される発光信号Ｓがオン状態になると、ＩＧＢＴ４のゲート電荷の充電を開始して、ＩＧＢＴ４をオン状態にさせるゲート充電回路１０と、発光信号Ｓのオン・オフ動作によって、ゲート充電手段８とゲート放電手段９とが切り替わるゲート充放電切替回路１１とを備えている。ここで、ゲート充放電切替回路１１は、発光信号Ｓがオン状態になると、ゲート充電手段８に切り替わり、発光信号Ｓがオフ状態になると、ゲート放電手段９に切り替わるようになっている。
【００１９】
よって、ゲート充電手段８は、発光信号Ｓがオン状態になると、ゲート充放電切替回路１１がゲート充電回路１０に切り替わり、ゲート充電回路１０がＩＧＢＴ４のゲート電荷の充電を開始して、ゲート電圧Ｖｇが上昇する。そして、ゲート電圧Ｖｇが閾値Ｖｔｈを超えると、ＩＧＢＴ４がオン状態になる。
【００２０】
ゲート放電手段９は、入力される発光信号Ｓがオフ状態になると、ＩＧＢＴ４のゲート電荷の放電を開始して、ＩＧＢＴ４をオフ状態にさせるゲート放電回路１２と、発光信号Ｓのオン・オフ動作によって、ゲート充電手段８とゲート放電手段９とが切り替わるゲート充放電切替回路１１とを備えている。また、ゲート放電回路１２は、ＩＧＢＴ４の保護のため、ＩＧＢＴ４の放電を二段階で行うようになっており、可変の電流源Ｉ１ｇによる放電電流でゲート電荷を放電させる第一段階ゲート放電回路１３と、固定の電流源Ｉ２ｇによる放電電流でゲート電荷を放電させる第二段階ゲート放電回路１４と、さらに、ゲート電圧Ｖｇによって、第一段階ゲート放電回路１３と第二段階ゲート放電回路１４とが切り変わるゲート放電切替回路１５と、ゲート電圧Ｖｇとゲート基準電圧Ｖｒｅｆとを比較した結果を出力するゲート放電電圧比較回路１６とを備えている。
【００２１】
ここで、ゲート放電電圧比較回路１６は、コンパレータなどであり、非反転入力端子１６ａに印加されているゲート電圧Ｖｇが基準電圧入力端子１６ｂに印加されているゲート基準電圧Ｖｒｅｆ未満であれば、出力端子１６ｃの電位が低レベルのままであるが、ゲート電圧Ｖｇがゲート基準電圧Ｖｒｅｆ以上になると、出力端子１６ｃの電位が低レベルから高レベルに反転するようになっている。また、ゲート放電切替回路１５は、出力端子１６ｃが高レベルを出力するとき、第一段階ゲート放電回路１３に切り替わり、出力端子１６ｃが低レベルを出力するとき、第二段階ゲート放電回路１４に切り替わるようになっている。
【００２２】
よって、ゲート放電手段９は、発光信号Ｓがオフ状態になると、ゲート充放電切替回路１１がゲート放電回路１２に切り替わり、ゲート電圧Ｖｇがゲート基準電圧Ｖｒｅｆより高いとき、ゲート放電電圧比較回路１６が高レベルを出力し、ゲート放電切替回路１５が第一段階ゲート放電回路１３に切り替わり、ゲート抵抗Ｒ１ｇによる放電電流でゲート電荷を放電する。そして、ゲート電圧Ｖｇがゲート基準電圧Ｖｒｅｆより低くなると、ゲート放電切替回路１５が第二段階ゲート放電回路１４に切り替わる。また、ゲート電圧Ｖｇがゲート基準電圧Ｖｒｅｆより低いときや低くなったときは、ゲート放電電圧比較回路１６が低レベルを出力し、ゲート放電切替回路１５が第二段階ゲート放電回路１４に切り替わり、ゲート抵抗Ｒ２ｇによる放電電流でゲート電荷を放電する。そして、ゲート電圧Ｖｇが閾値Ｖｔｈより低くなると、ＩＧＢＴ４がオフ状態になる。
【００２３】
さらに、ゲート放電手段９は、第一段階ゲート放電回路１３の複数の電流源Ｉ１ｇの一つを選択することで、ゲート電荷の放電速度が変わり、ＩＧＢＴ４がオフ状態になるタイミングが変わることから、閃光放電管２が発光停止するタイミングを補正することができる発光光量補正手段であり、第一段階ゲート放電回路は、補正手段である。
【００２４】
次に、第一実施形態に係るストロボ装置１について、発光光量のばらつきを各構成要素の組み立て後に発光制御回路６のゲート放電手段９で補正する方法を、図２を参酌しつつ、説明する。
【００２５】
まず、ストロボ装置１の発光光量を計測して、閃光放電管２の発光に関与する構成要素の公差に起因する発光光量のばらつき量を計測する。発光光量の算出方法は、従来技術と同様とし、ストロボ装置１に模擬的にテスト発光信号Ｓｔを入力し、発光光量を算出するものである。ここで、テスト発光信号Ｓｔとは、発光開始から発光停止までオン状態が継続するパルス状の信号とする。
【００２６】
最初に、組み立て後の発光制御回路６の入力端子Ｉにテスト発光信号Ｓｔを入力する。テスト発光信号Ｓｔがオフ状態からオン状態になると（Ｓ０）、ゲート充電手段８のゲート充放電切替回路１１がゲート充電回路１０に切り替わり、ゲート充電回路１０がＩＧＢＴ４のゲート電荷を充電する（Ｓ１）。次に、ゲート電圧Ｖｇが閾値Ｖｔｈを超え、ＩＧＢＴ４がオン状態になる（Ｓ２）。ＩＧＢＴ４がオン状態になることで、メインコンデンサ５に蓄積された電荷がトリガ回路３に流れ、閃光放電管２にトリガ電圧が印加され、閃光放電管２が発光開始する（Ｓ３）。
【００２７】
次に、テスト発光信号Ｓｔがオン状態からオフ状態になる（Ｓ４）と、ゲート放電手段９のゲート充放電切替回路１１がゲート放電回路１２に切り替わり、ゲート放電電圧比較回路１６がゲート基準電圧ＶｒｅｆよりＩＧＢＴ４のゲート電圧Ｖｇが高いため、ゲート放電切替回路１５が第一段階ゲート放電回路１３に切り替わり、ＩＧＢＴ４が第一段階ゲート放電回路１３の選択された電流源Ｉ１ｇによりゲート電荷を放電される（Ｓ５）。
【００２８】
やがて、ゲート電圧Ｖｇがゲート基準電圧Ｖｒｅｆより低くなり（Ｓ６）、ゲート放電切替回路１５が第二段階ゲート放電回路１４に切り替わり、ＩＧＢＴ４が第二段階ゲート放電回路１４の電流源Ｉ２ｇによりゲート電荷を放電される（Ｓ７）。
【００２９】
さらに、ゲート電圧Ｖｇが閾値Ｖｔｈより低くなり、ＩＧＢＴ４がオフ状態になって（Ｓ８）、閃光放電管２が発光停止する（Ｓ９）。その間、閃光放電管２が発光開始してから閃光放電管２が完全に発光停止するまでの発光光量を、テスト発光光量Ｑｔとして発光光量計測装置で測定する。
【００３０】
次に、基準発光光量Ｑと、発光光量計測装置で計測されたテスト発光光量Ｑｔとを比較して誤差光量を求め、テスト発光光量Ｑｔと基準発光光量Ｑとを一致させるために、閃光放電管２の発光時間Ｔｒを補正する。具体的には、テスト発光光量Ｑｔが基準発光光量Ｑより多く発光過剰なときは、第一段階ゲート放電回路１３の電流源Ｉ１ｇを減らして、ＩＧＢＴ４のゲート電荷の放電速度を上げることで閃光放電管２の発光時間Ｔｒを短縮する。
短縮された発光時間分、誤差光量に当たる発光光量が低減されてテスト発光光量Ｑｔと基準発光光量Ｑが一致する。
【００３１】
また、テスト発光光量Ｑｔが基準発光光量Ｑより少なく発光不足なときは、第一段階ゲート放電回路１３の電流源Ｉ１ｇを増やし、ＩＧＢＴ４のゲート電荷の放電速度を下げることで閃光放電管２の発光時間Ｔｒを延長し、テスト発光光量Ｑｔと基準発光光量Ｑを一致させる。
【００３２】
このようにして補正した第一段階ゲート放電回路１３の複数の電流源Ｉ１ｇのどれを選択するかは、不揮発性メモリであるＥＥＰＲＯＭに記録される。
【００３３】
よって、組み立て後に一度、第一段階ゲート放電回路１３の複数ある電流源Ｉ１ｇの内、最適なものを選択すれば、次回以降のストロボ装置１の発光光量は、補正した第一段階ゲート放電回路１３の電流源Ｉ１ｇにより、ゲート放電を行うことができ、プリ発光においても本発光においても目標ストロボ光量に一致させることができるため、閃光放電管の発光に関与する構成要素の公差に起因する発光光量のばらつきが生じることがなくなる。
【００３４】
第一実施形態に係るストロボ装置１についての説明は以上である。次に、第二実施形態に係るストロボ装置について、図３を参酌しつつ説明する。また、第一実施形態に係るゲート放電回路１２は、ＩＧＢＴ４の保護のため、ＩＧＢＴ４の放電を二段階でおこなうようしたが、第二実施形態では、アナログ遅延回路２０の遅延時間を調整することにより、ＩＧＢＴ４の放電を一段階で行えるようにしたものを例とする。なお、第一実施形態に係るストロボ装置１と同様な部分については、同一符号を振り、説明を省略するものとする。
（第二実施形態）
まず、第二実施形態に係るストロボ装置１７の構造について説明する。第二実施形態に係る発光制御回路１８は、ゲート充電手段８と、閃光放電管２を発光停止させるためにＩＧＢＴ４を放電してオフ状態にさせるゲート放電回路１９と、入力される発光信号Ｓをゲート放電回路１９に出力するのを遅延するアナログ遅延回路２０とを備えている。なお、ゲート放電回路１９は、二段階放電を行わないことから、第一実施形態に係るゲート放電回路１２のように二段階に分ける必要がなく、第一段階ゲート放電回路１３、ゲート放電切替回路１５、及び、ゲート放電電圧比較回路１６とを備えていないものとする。また、アナログ遅延回路２０は、例えば、コンデンサに電荷を充放電するために要する時間を利用して、入力される発光信号Ｓを遅延させて出力するものであり、遅延回路用のコンデンサと遅延回路用の複数の抵抗を備えている。よって、アナログ遅延回路２０は、発光信号Ｓがオフ状態になると、遅延回路用の複数の抵抗の一つを選択して、遅延回路用のコンデンサへの充電に係る時間分を遅延させることができ、選択された抵抗により遅延時間を変更することができる発光光量補正手段であり、遅延回路用の複数の抵抗値は、遅延手段である。
【００３５】
次に、第二実施形態に係るストロボ装置１７について、発光光量のばらつきを各構成要素の組み立て後に発光制御回路１８のアナログ遅延回路２０で補正する方法を、図４を参酌しつつ、説明する。なお、第一実施形態と同様に、まず、ストロボ装置１７の発光光量を計測して、閃光放電管２の発光に関与する構成要素の公差に起因する発光光量のばらつき量をストロボ装置１７に模擬的にテスト発光信号Ｓｔを入力し、発光光量を算出するものとする。
【００３６】
最初に、組み立て後の発光制御回路１８の入力端子Ｉにテスト発光信号Ｓｔを入力する。テスト発光信号Ｓｔがオフ状態からオン状態になると（Ｓ０）、ゲート充電手段８のゲート充放電切替回路１１がゲート充電回路１０に切り替わり、ゲート充電回路１０がＩＧＢＴ４のゲート電荷が充電される（Ｓ１）。次に、ゲート電圧Ｖｇが閾値Ｖｔｈを超え、ＩＧＢＴ４がオン状態になる（Ｓ２）。ＩＧＢＴ４がオン状態になることで、メインコンデンサ５に蓄積された電荷がトリガ回路３に流れ、閃光放電管２にトリガ電圧が印加され、閃光放電管２が発光開始する（Ｓ３）。
【００３７】
次に、テスト発光信号Ｓｔがオン状態からオフ状態になる（Ｓ４）と、テスト発光信号Ｓｔがアナログ遅延回路２０に入力され、遅延回路用の可変抵抗による充電電流で遅延回路用のコンデンサを充電する（Ｓ５）。遅延回路用のコンデンサの充電が完了すると、テスト発光信号Ｓｔをゲート放電回路１９に出力する（Ｓ６）。そして、ゲート放電回路１９にテスト発光信号Ｓｔが入力され、ゲート放電回路１９のゲート充放電切替回路１１がゲート放電回路１２に切り替わり、ゲート電圧Ｖｇが第二段階ゲート放電回路１４のゲート抵抗Ｒ２ｇによりＩＧＢＴ４のゲート電荷が放電される（Ｓ７）。
【００３８】
さらに、ゲート電圧Ｖｇが閾値Ｖｔｈより低くなり、ＩＧＢＴ４がオフ状態になって（Ｓ８）、閃光放電管２が発光停止する（Ｓ９）。その間、閃光放電管２が発光開始してから閃光放電管２が完全に発光停止するまでの発光光量を、テスト発光光量Ｑｔとして発光光量計測装置で測定する。
【００３９】
次に、基準発光光量Ｑと、発光光量計測装置で計測されたテスト発光光量Ｑｔとを比較して誤差光量を求め、テスト発光光量Ｑｔと基準発光光量Ｑとを一致させるために、閃光放電管２の発光時間Ｔｒを補正する。具体的には、テスト発光光量Ｑｔが基準発光光量Ｑより多く発光過剰なときは、アナログ遅延回路２０の遅延回路用の小さい値の抵抗を選択し、遅延回路用のコンデンサに蓄電された電荷の放電速度を上げて、発光信号Ｓの遅延時間を短縮する。短縮された発光時間分、誤差光量に当たる発光光量が低減されてテスト発光光量Ｑｔと基準発光光量Ｑが一致する。
【００４０】
また、テスト発光光量Ｑｔが基準発光光量Ｑより少なく発光不足なときは、アナログ遅延回路２０の遅延回路用の大きい値の抵抗を選択し、遅延回路用のコンデンサに蓄電された電荷の放電速度を下げて、発光信号Ｓの遅延時間を延長することで、テスト発光光量Ｑｔと基準発光光量Ｑを一致させる。
【００４１】
このようにして補正したアナログ遅延回路２０の遅延回路用の複数の抵抗のどれを選択するかは、不揮発性メモリであるＥＥＰＲＯＭに記録される。
【００４２】
よって、組み立て後に一度、アナログ遅延回路２０の遅延回路用の複数ある抵抗の内、最適なものを選択すれば、次回以降のストロボ装置１の発光光量は、アナログ遅延回路２０の遅延回路用の選択された抵抗により、ゲート放電を行うことができ、プリ発光においても本発光においても目標ストロボ光量に一致させることができるため、閃光放電管の発光に関与する構成要素の公差に起因する発光光量のばらつきが生じることがなくなる。
【００４３】
第二実施形態に係るストロボ装置１７についての説明は以上である。次に、第三実施形態に係るストロボ装置について、図５を参酌しつつ説明する。なお、第一及び第二実施形態に係るストロボ装置１、１７と同様な部分については、同一符号を振り、説明を省略するものとする。
（第三実施形態）
まず、第三実施形態に係るストロボ装置２１の構造について説明する。第三実施形態に係る発光制御回路２２は、第二実施形態におけるゲート充電手段８及びゲート放電手段９に当たるＩＧＢＴ４のゲート電荷の充電と放電を制御するＩＧＢＴドライバ２３と、入力される発光信号ＳをＩＧＢＴドライバ２３に出力するのを遅延するデジタル遅延回路２４とを備えている。
【００４４】
デジタル遅延回路２４は、発光停止のタイミングを遅延する信号遅延部２５と、発光信号Ｓのオン・オフ状態から発光開始と発光停止を判断する信号受信部２６とを備えている。
【００４５】
信号遅延部２５は、高周波クロックを発振する発振回路２７と、クロックパルスをカウントするパルスカウンタ回路２８と、カウント値が基準カウント値になると出力するカウント値比較回路２９とを備え、基準カウント値の初期値若しくは補正値を記憶させたＥＥＰＲＯＭ３０と通信可能となっている。
【００４６】
ここで、パルスカウンタ回路２８は、発振回路２７からのオン・オフ状態を入力する入力端子と、カウント値比較回路２９へオン・オフ状態を出力する出力端子と、カウント値をリセットするリセット端子とを備えており、このリセット端子にも発光信号Ｓが直接入力されるようになっており、発光信号Ｓがオン状態になるたびにカウント値がリセットされるようになっている。また、ＥＥＰＲＯＭ３０は、カウント値比較回路２９へ基準カウント値を出力する出力端子と、外部からカウント値を入出力することができる入出力端子とを備えており、外部からカウント値を書き換え可能となっている。また、カウント値は、初期値として、本実施例では、５が入力されている。
【００４７】
なお、発振回路２７は、発振周波数を高く設定することで、遅延時間の精度を高めるようにしてもよい。
【００４８】
信号受信部２６は、入力される発光信号Ｓがオン状態になると、オン状態になってＩＧＢＴドライバ２３に出力し、入力される発光信号Ｓがオフ状態になると、オン状態になって信号遅延部２５に出力し、信号遅延部２５からオン状態を出力されるまで、ＩＧＢＴドライバ２３にオン状態で出力し続け、信号遅延部２５がオン状態になると、オフ状態になってＩＧＢＴドライバ２３に出力するように構成されている。
【００４９】
例えば、信号受信部２６は、信号遅延部２５の論理否定と発光信号Ｓとの論理和の結果をＩＧＢＴドライバ２３に出力するＯＲ回路３１と、発光信号Ｓの論理否定と信号遅延部２５の論理否定との論理積の結果を発振回路２７に出力するＡＮＤ回路３２と、ＡＮＤ回路３２に発光信号Ｓの論理否定を出力する第一ＮＯＴ回路３３と、ＯＲ回路３１及びＡＮＤ回路３２に信号遅延部２５の論理否定を出力する第二ＮＯＴ回路３４とを備えている。
【００５０】
よって、発光制御回路２２は、発光信号Ｓがオン状態になると、ＯＲ回路３１がオン状態になって、ＩＧＢＴドライバ２３にオン状態を出力する。
【００５１】
また、発光制御回路２２は、発光信号Ｓがオフ状態になると、入力端子Ｉと接続されたＯＲ回路３１の入力端子がオフ状態になるため、第二ＮＯＴ回路３４の出力状態により、ＯＲ回路３１の出力状態が替わる。まず、カウント値比較回路２９は、ＡＮＤ回路３２の出力状態がオフ状態であるため、発振回路２７は発振しておらず、パルスカウンタ回路２８のカウント値がゼロのままであり、基準カウント値である５と異なり、オフ状態である。カウント値比較回路２９の出力状態が第二ＮＯＴ回路３４により論理否定されオン状態となるため、ＡＮＤ回路３２は、オン状態となる。よって、発振回路２７の入力端子がオン状態になり、発振回路２７が発振し、発振回路２７の発振パルス数をパルスカウンタ回路２８によりカウントした結果をカウント値比較回路２９に入力する。カウント値比較回路２９では、ＥＥＰＲＯＭ３０の基準カウント値と比較し、一致すると、第二ＮＯＴ回路３４に出力する。第二ＮＯＴ回路３４で論理否定されてオフ状態になり、ＯＲ回路３１の入力端子がオフ状態となるため、ＯＲ回路３１の出力状態がオフ状態になる。よって、ＩＧＢＴドライバ２３の入力がオフ状態になる。
【００５２】
さらに、デジタル遅延回路２４は、ＥＥＰＲＯＭ３０の基準カウント値を書き替えることで、発振回路２７の発振パルス数を変えることにより、ＩＧＢＴドライバ２３へ入力する遅延時間を変更することができる発光光量補正手段であり、信号遅延部２５は、遅延手段である。
【００５３】
次に、第三実施形態に係るストロボ装置２１について、発光光量のばらつきを各構成要素の組み立て後に発光制御回路２２のデジタル遅延回路２４で補正する方法を、図６を参酌しつつ、説明する。なお、第一及び第二実施形態と同様に、まず、ストロボ装置２１の発光光量を計測して、閃光放電管２の発光に関与する構成要素の公差に起因する発光光量のばらつき量をストロボ装置２１に模擬的にテスト発光信号Ｓｔを入力し、発光光量を算出するものとする。
【００５４】
最初に、組み立て後の発光制御回路２２の入力端子Ｉにテスト発光信号Ｓｔを入力する。テスト発光信号Ｓｔがオフ状態からオン状態になると（Ｓ０）、ＯＲ回路３１に入力され、出力状態がオン状態になり、ＩＧＢＴドライバ２３に入力され、ＩＧＢＴ４のゲート電荷が充電される（Ｓ１）。次に、ゲート電圧Ｖｇが閾値Ｖｔｈを超え、ＩＧＢＴ４がオン状態になる（Ｓ２）。ＩＧＢＴ４がオン状態になることで、メインコンデンサ５に蓄積された電荷がトリガ回路３に流れ、閃光放電管２にトリガ電圧が印加され、閃光放電管２が発光開始する（Ｓ３）。
【００５５】
次に、テスト発光信号Ｓｔがオン状態からオフ状態になる（Ｓ４）と、ＡＮＤ回路３２の出力状態がオフ状態であるため、発振回路２７が発振しておらず、パルスカウンタ回路２８のカウント値がゼロのままであり、カウント値比較回路２９が基準カウント値と一致しないため、カウント値比較回路２９の出力状態がオフ状態となる。よって、第二ＮＯＴ回路３４に接続される一方のＡＮＤ回路３２の入力端子は、オフ状態であるカウント値比較回路２９を第二ＮＯＴ回路３４で論理否定されるため、オン状態となり、第一ＮＯＴ回路３３に接続される他方のＡＮＤ回路３２の入力端子は、オフ状態であるテスト発光信号Ｓｔを第一ＮＯＴ回路３３で論理否定されるため、オン状態となり、ＡＮＤ回路３２の出力状態は、オン状態となる。よって、発振回路２７がオン状態となり、発振回路２７の出力状態が発振し、発振回路２７のパルス数をパルスカウンタ回路２８によりカウントし、その結果を出力としてカウント値比較回路２９に入力する（Ｓ５）。カウント値比較回路２９では、ＥＥＰＲＯＭ３０の基準カウント値と比較し、一致するまで出力状態をオフ状態のままとし、一致すると出力状態をオン状態にして第二ＮＯＴ回路３４に出力する（Ｓ６）。第二ＮＯＴ回路３４で論理否定されて、オフ状態になり、ＯＲ回路３１の一方の入力端子をオフ状態にする。このとき、ＯＲ回路３１の入力端子Ｉに接続された他方の入力端子がオフ状態であるため、ＯＲ回路３１の出力状態は、オフ状態になる。よって、ＩＧＢＴドライバ２３の入力がオフ状態になり、ＩＧＢＴ４のゲート電荷が放電される（Ｓ７）。
【００５６】
やがて、ゲート電圧Ｖｇが閾値Ｖｔｈより低くなり、ＩＧＢＴ４がオフ状態になって（Ｓ８）、閃光放電管２が発光停止する（Ｓ９）。その間、閃光放電管２が発光開始してから閃光放電管２が完全に発光停止するまでの発光光量を、テスト発光光量Ｑｔとして発光光量計測装置で測定する。
【００５７】
次に、基準発光光量Ｑと、発光光量計測装置で計測されたテスト発光光量Ｑｔとを比較して誤差光量を求め、テスト発光光量Ｑｔと基準発光光量Ｑとを一致させるために、閃光放電管２の発光時間Ｔｒを補正する。具体的には、テスト発光光量Ｑｔが基準発光光量Ｑより多く発光過剰なときは、ＥＥＰＲＯＭ３０に記録されている基準カウンタ値の補正値を減らして、発振回路２７の発振回数を減らし、発光信号Ｓの遅延時間を短縮することで、閃光放電管２の発光時間Ｔｒを短縮する。
【００５８】
短縮された発光時間分だけ閃光放電管２の発光時間Ｔｒを短縮し、誤差光量に当たる発光光量が低減されてテスト発光光量Ｑｔと基準発光光量Ｑが一致する。
【００５９】
また、テスト発光光量Ｑｔが基準発光光量Ｑより少なく発光不足なときは、ＥＥＰＲＯＭ３０に記録されている基準カウンタ値の補正値を増やして、発振回路２７の発振回数を増やし、発光信号Ｓの遅延時間を延長することで、閃光放電管２の発光時間Ｔｒを延長し、誤差光量に当たる発光光量を増加させて、テスト発光光量Ｑｔと基準発光光量Ｑを一致させる。
【００６０】
このようにして補正した基準カウンタ値は、不揮発性メモリであるＥＥＰＲＯＭ３０に記録される。
【００６１】
よって、組み立て後に一度、基準カウンタ値を補正すれば、次回以降のストロボ装置２１の発光光量は、補正した基準カウンタ値により、ゲート放電を行うことができ、プリ発光においても本発光においても目標ストロボ光量に一致させることができるため、閃光放電管の発光に関与する構成要素の公差に起因する発光光量のばらつきが生じることがなくなる。
【００６２】
なお、本発明に係るストロボ装置は、上記実施形態に限定されるものではなく、本発明の要旨を逸脱しない範囲で種々の変更が可能である。
【００６３】
例えば、本発明に係るＩＧＢＴ４のゲート放電について、第一実施形態で二段階で放電する例を、第二・第三実施形態で一段階で放電する例について説明したが、これに限定されるものではなく、ＩＧＢＴ４に合わせて変更することができる。
【００６４】
本発明に係るストロボ装置を備えた撮影装置においては、製造時のみならず、使用によって閃光放電管に生じる発光光量変化にも対応するため、撮影装置を調整機器などに接続し、ストロボの発光回数が予め規定された発光回数に達した際に、再度、発光光量測定装置で発光光量を測定して発光光量の過不足を補正しなおし、発光制御を安定させることが出来る。
【００６５】
また、閃光放電管の発光に関与する構成要素について、封入ガス圧の違いなどの精度のばらつきから、製造された構成要素ごとに発光光量のばらつきが生じることがある閃光放電管や、閃光放電管から発光された光が反射率や反射角度の製造公差などにより、必要光量が確保できない場合などにおいても有効であることから、反射鏡などの閃光放電管の発光光路に関与する構成要素も含むことができる。
【産業上の利用可能性】
【００６６】
本発明に係るストロボ装置は、閃光放電管の発光に関与する構成要素の公差を考慮せずに、発光光量を制御することが必要な技術分野等の用途に適用できる。
【図面の簡単な説明】
【００６７】
【図１】第一実施形態に係るストロボ装置１の回路構成を示すブロック図
【図２】第一実施形態に係るストロボ装置１であって、（ａ）発光信号Ｓ（テスト発光信号Ｓｔ）の波形を示す図、及び、（ｂ）ゲート電圧Ｖｇの波形を示す図
【図３】第二実施形態に係るストロボ装置１７の回路構成を示すブロック図
【図４】第二実施形態に係るストロボ装置１７であって、（ａ）発光信号Ｓ（テスト発光信号Ｓｔ）の波形を示す図、（ｂ）アナログ遅延回路２０通過後の発光信号Ｓの波形を示す図、及び、（ｃ）ゲート電圧Ｖｇの波形を示す図
【図５】第三実施形態に係るストロボ装置２１の回路構成を示すブロック図
【図６】第三実施形態に係るストロボ装置２１であって、（ａ）発光信号Ｓ（テスト発光信号Ｓｔ）の波形を示す図、（ｂ）ＡＮＤ回路３２の出力波形を示す図、（ｃ）発振回路２７の出力波形を示す図、（ｄ）パルスカウンタ回路２８の出力波形を示す図、（ｅ）カウント値比較回路２９の出力波形を示す図、及び、（ｆ）発光制御回路２２の出力波形を示す図、（ｇ）ゲート電圧Ｖｇの波形を示す図
【符号の説明】
【００６８】
１、１７、２１  ストロボ装置
２  閃光放電管
４  ＩＧＢＴ
６、１８、２２  発光制御回路
８  ゲート充電手段
９、１９  ゲート放電手段
２０  アナログ遅延回路
２３  デジタル遅延回路
Ｖｇ  ゲート電圧
Ｓ  発光信号
Ｔｒ  発光時間
【図１】
2010134005.tif 000003
【図２】
2010134005.tif 000004
【図３】
2010134005.tif 000005
【図４】
2010134005.tif 000006
【図５】
2010134005.tif 000007
【図６】
2010134005.tif 000008